(57)【要約】【課題】  人体の誘電率を利用し入力操作を行う静電容量式のタッチスイッチにおいて、機器へのタッチスイッチの設置箇所、あるいは温度、湿度、電磁ノイズなどの周囲の使用条件、また経時変化等の不安定要因に対し安定した入力操作を行うことが可能な入力装置を提供する。【解決手段】  タッチスイッチ入力手段において、人体検出の検出用電極の他に基準用電極を設け、操作者が操作を行う指への距離が近い位置に設ける検出用電極と、操作者が操作を行う指と遠い位置に設ける基準用電極を積み重ねることにより、タッチスイッチへの入力操作を行わない状態では検出用電極と基準用電極の電気的なバランスが保たれ、タッチスイッチの入力操作を行った際には指との距離が近い検出用電極と、指との距離が遠い基準用電極間の電気的な数値が互いに乖離したことを判定し、タッチスイッチの入力操作の有無を判定することを特徴とする。【選択図】図１
2013235313.tif 000002
【特許請求の範囲】
【請求項１】
静電容量式のタッチスイッチの入力装置であって、非導電性の特性を有する材料により形成された基材と、導電性の材料により形成された一対のタッチスイッチ入力検出用電極と、該入力検出用電極が形成された非導電性の材料の積み重ね方向直下の位置に設けられ、前記検出用電極と電極形状が概合同の基準用電極と、前記入力検出用電極と前記基準用電極の少なくとも各一方の電極各々にあらかじめ設定したインピーダンスを有する素子を介して前記高周波電圧を給電する共通の高周波発生部と、前記検出用電極に給電した印加電圧を整流する第１の整流部と、前記基準用電極に給電した印加電圧を整流する第２の整流部と、前記第１の整流部の電位と前記第２の整流部の電位に電位差を付加する電位差部と、該電位差部の各々の電圧を比較しその電位差に基づいてタッチ入力信号を比較する比較部と、該比較部の判定結果を出力する判定結果出力を備えたことを特徴とする、前記タッチスイッチの入力装置。
【請求項２】
検出用電極に給電した印加電圧と、基準用電極に給電した印加電圧をマイクロコンピュータから出力される時間差を有するタイミングに基づき同一の整流部３に給電するゲート回路と、該ゲート回路の切り替えタイミングに同期して前記検出用電極への印加電圧と、前記基準用電極への印加電圧とを交互にＡ／Ｄ変換し、前記マイクロコンピュータで前記検出用電極の印加電圧と基準用電極の印加電圧を随時保存した後、前記検出用電極の印加電圧と基準用電極の印加電圧を比較する比較部と、該比較部の判定結果を出力する判定結果出力を備えたことを特徴とする、請求項1に記載のタッチスイッチの入力装置。
【請求項３】
検出用電極と基準用電極を１組以上備えたタッチスイッチを有する単独の機器に於いて、前記検出用電極と基準用電極の各電極への印加電圧をマイクロコンピュータから出力される時間差を有するタイミングに基づき、１つ以上の整流部ｎに給電するゲート回路と、該ゲート回路の切り替えタイミングに同期して前記各電極への印加電圧をＡ／Ｄ変換し、前記マイクロコンピュータで前記各電極への印加電圧を随時保存した後、前記１組毎の検出用電極の印加電圧と基準用電極の印加電圧を比較する比較部と、該比較部の判定結果を出力する判定結果出力を備えたことを特徴とする、請求項1に記載のタッチスイッチの入力装置。
【請求項４】
検出用電極と基準用電極の電極形状の相違は、高周波電圧を各々給電する予め定められたインピーダンス素子及び、前記検出用電極と前記基準用電極に給電した印加電圧を整流部へ出力する出力素子の各端子と、前記検出用電極と前記基準用電極の各導体との接続部であり、該接続部は前記検出用電極と前記基準用電極のタッチスイッチ入力操作範囲内の各導体であって、且つ前記検出用電極と前記基準用電極の各導体への給電位置が、略同一であることを特徴とする、請求項１乃至請求項４に記載のタッチスイッチの入力装置。
【請求項５】
検出用電極と基準用電極へ高周波電圧を各々給電する予め定められたインピーダンス素子は誘導性素子であって、前記検出用電極と前記基準用電極の各電極の浮遊容量と直列共振回路を形成することを特徴とする、請求項１乃至請求項４に記載のタッチスイッチの入力装置。
【発明の詳細な説明】
【技術分野】
【０００１】
本発明は電極間の静電容量の変化によって、操作者の操作を検知する静電容量型のタッチスイッチに関し、特に多岐にわたる使用環境に適したタッチスイッチの電極配置とその電気信号処理に関するものである。
【背景技術】
【０００２】
導電性の電極間に高周波電圧を給電し、人体の指等が電極近傍に入ることで電極間の静電容量の増加によりタッチスイッチ検出回路のＣＲ発振回路の周波数変化で検出を行うタッチスイッチが広く知られている。（特許文献１  特開平11−136116号広報、特許文献２  特開2008-42724号広報、特許文献３  特開2000-48694号広報）
【０００３】
また、電極に給電する高周波発振回路の周波数を固定とし、人体の指等が電極近傍に入ることで電極間の静電容量増加に伴い、電極電流が増すことによるタッチスイッチ検出端子の印加電圧の変化で検出を行うタッチスイッチ方式も広く知られている。（特許文献４  特開2004-22356号広報）
【０００４】
ところがこれらの静電容量方式では、操作者の指先等の誘電率による僅かの静電容量変化を用いるため、タッチスイッチ入力部を機器内に設置した後の静電容量の変化、あるいは周囲温度、湿度、またそれらの経時変化、更には電磁ノイズによる影響を受けやすく、タッチスイッチ入力有無判定の電気的レベルの閾値を初期状態で固定化を行うと、先述の不安定要因による誤判定を生じるため、操作者の意思による入力操作を正しく判定するための例が提案されている。
【先行技術文献】
【特許文献】
【０００５】
【特許文献１】特開平11−136116号広報
【特許文献２】特開2008-42724号広報
【特許文献３】特開2000-48694号広報
【特許文献４】特開2004-22356号広報
【発明の概要】
【発明が解決しようとする課題】
【０００６】
しかしながら、タッチスイッチの入力装置に対する基本要求仕様は様々な使用環境や経時変化を予測した上で、操作者の操作とそれ以外の外乱要因の明確な判定を行い、一方で操作者のタッチスイッチ操作による僅かな静電容量変化を高感度で取り込む必要がある。
【０００７】
本発明は、このような課題に鑑み考案されたもので、タッチスイッチ入力装置において周囲環境等が電気的に影響する要因を排除しながら、高感度なタッチスイッチの入力装置を提供することを目的とする。
【課題を解決するための手段】
【０００８】
このため、本発明のタッチスイッチの入力装置は、静電容量式のタッチスイッチの入力装置であって、非導電性の特性を有する材料により形成された基材と、導電性の材料により形成された一対のタッチスイッチ入力検出用電極と、該入力検出用電極が形成された非導電性の材料の積み重ね方向直下の位置に設けられ、前記検出用電極と電極形状が概合同の基準用電極と、前記入力検出用電極と前記基準用電極の少なくとも各一方の電極各々にあらかじめ設定したインピーダンスを有する素子を介して高周波電圧を給電する共通の高周波発生部と、前記検出用電極に給電した印加電圧を整流する第１の整流部と、前記基準用電極に給電した印加電圧を整流する第２の整流部と、前記第１の整流部の電位と前記第２の整流部の電位に電位差を付加する電位差部と、該電位差部の各々の電圧を比較する比較部と、該比較部の判定結果を出力する判定結果出力を備えたことを特徴としている（請求項１）。
【０００９】
また、検出用電極に給電した印加電圧と、基準用電極に給電した印加電圧をマイクロコンピュータから出力される時間差を有するタイミングに基づき同一の整流部３に給電するゲート回路と、該ゲート回路の切り替えタイミングに同期して前記検出用電極への印加電圧と、前記基準用電極への印加電圧とを交互にＡ／Ｄ変換し、前記マイクロコンピュータで前記検出用電極の印加電圧と基準用電極の印加電圧を随時保存した後、前記検出用電極の印加電圧と基準用電極の印加電圧を比較しその電位差に基づいてタッチ入力信号の判定結果出力を備えたことを特徴としている（請求項２）。
【００１０】
また、検出用電極と基準用電極を１組以上備えたタッチスイッチを有する単独の機器に於いて、前記検出用電極と基準用電極の各電極への印加電圧をマイクロコンピュータから出力される時間差を有するタイミングに基づき、１つ以上の整流部ｎに給電するゲート回路と、該ゲート回路の切り替えタイミングに同期して前記各電極への印加電圧をＡ／Ｄ変換し、前記マイクロコンピュータで前記各電極への印加電圧を随時保存した後、前記１組毎の検出用電極の印加電圧と基準用電極の印加電圧を比較し、その電位差に基づいてタッチ入力信号を比較した判定結果出力を備えたことを特徴としている（請求項３）。
【００１１】
また、検出用電極と基準用電極の電極形状の相違は、高周波電圧を各々給電する予め定められたインピーダンス素子及び、前記検出用電極と前記基準用電極に給電した印加電圧を整流部へ出力する出力素子の各端子と、前記検出用電極と前記基準用電極の各導体との接続部であり、該接続部は前記検出用電極と前記基準用電極のタッチスイッチ入力操作範囲内の各導体であって、且つ前記検出用電極と前記基準用電極の各導体への給電位置が、略同一であることを特徴としている（請求項４）。
【００１２】
さらに、検出用電極と基準用電極へ高周波電圧を各々給電する予め定められたインピーダンス素子は誘導性素子であって、前記検出用電極と前記基準用電極の各電極の浮遊容量と直列共振回路を形成することを特徴としている（請求項５）。
【発明の効果】
【００１３】
本発明のタッチスイッチの入力装置によれば、非導電性の特性を有する材料により形成された基材をはさんで積み重ねて形成された概ね合同の検出用電極と基準用電極を設けているので、検出用電極と基準用電極の設置箇所、あるいは温度、湿度、電磁ノイズなどの周囲の使用条件、また経時変化等の不安定要因を検出用電極と基準用電極共にうけることにより、これらの影響の低減を図ることができる。（以上、請求項１）
【００１４】
また、検出用電極と基準用電極への印加電圧整流回路を共用することで、各々整流回路を設けるより電気性能のバラツキと部品コストの低減を図ることが可能となる（以上、請求項２、請求項３）
【００１５】
また、検出用電極と基準用電極への電気的接続において、高周波電圧の給電と、各電極の印加電圧を出力するための各素子を最短距離で接続することで不要な配線の浮遊容量を低減し、この結果、各電極は全体の静電容量に占める操作者の操作による静電容量変化の変化率を引き上げ、より感度の高い検出が可能となる（以上、請求項４）。
【００１６】
また、電極間の給電に直列共振回路を用いることにより、操作者の操作の有無による電極間の印加電圧のダイナミックレンジを拡大できるので、従来のタッチスイッチに比べ入力段階で高感度の入力操作を提供し、併せて直列共振回路自体がバンドパスフィルタの機能を有することで耐ノイズ性能の向上を図ることができる。（請求項５）
【図面の簡単な説明】
【００１７】
【図１】請求項１に記載の、本発明のブロック図を示した説明図である。
【図２】本発明を実施する際の最も簡潔な回路図を示す。
【図３】比較部の入力電圧の遷移と判定結果出力を示す図である。
【図４】本発明を実施するための最良の形態に係る電極の構成を示した図である。
【図５】本発明を実施する際の各電極と、高周波電圧印加のインピーダンス素子及び整流回路への出力素子との接続例を示す図である。
【図６】本発明に係る、操作者の操作を行う指と検出用電極及び基準用電極の各々の距離を示す図である。
【図７】請求項２に記載の、本発明のブロック図を示した説明図である。
【図８】請求項３に記載の、本発明のブロック図を示した説明図である。
【図９】請求項４に記載の、高周波電圧給電のインピーダンス素子及び整流回路への出力素子との接続例を示す図である。
【発明を実施するための形態】
【００１８】
以下、本発明を実施するための最良の形態に係るタッチスイッチの入力装置について図面に基づいて説明する。このタッチスイッチの入力装置は、図1に示すように高周波発生部４と、高周波電圧を各電極へ給電するインピーダンス素子（５ａ，５ｂ）、非導電性の基材２の、操作者の指１１に近い側に設置する検出用電極１。更に検出用電極１と非導電性の基材２の直下に積み重ねられた基準用電極３が設けられており、検出用電極１に給電された印加電圧を整流する第１の整流部６と、基準用電極３に給電された印加電圧を整流する第２の整流部７と、操作者の指１１による操作の無い非操作状態で比較部９の判定結果１０が、非操作の電気的レベルとなるよう、予め第１の整流部６と第２の整流部７の各出力電圧に電位差を付加する電位差部８で構成されている。
【００１９】
図２は本発明を実施するための簡略な回路図である。高周波発生部４は一例としてインバーターを用いたＣＲ発振回路である。発振周波数は概ね１００ＫＨｚから数ＭＨｚの広い範囲で設定すればよく、タッチスイッチの入力装置の用途、操作者の指１１と検出用電極１との検出距離、検出用電極１及び基準用電極３の形状や寸法、非導電性の基材の誘電率、また第１の整流素子６や第２の整流素子７の定数により適宜決定すればよい。正確な発振周波数であったり、予め定められた高周波電圧等である必要は無く、タッチスイッチの入力装置の仕様に合わせ適宜に決定すればよい。
【００２０】
以下、図２において、タッチスイッチの入力装置へ操作者の操作が行われない非操作時の動作の概要について述べる。
【００２１】
高周波発生部４は所定の周波数で発振し、値の等しいインピーダンス素子（５ａ、５ｂ）を介して検出用電極１と基準用電極３の各電極で構成された浮遊容量の給電点（５ａａ、５ｂｂ）へ給電される。（なお図2に記載の（１１ａ、１１ｂ）は操作者の指による浮遊容量を図示するものであり、非操作時には存在しないため無視する。）ここで、検出用電極１と基準用電極３の各電極形状がほぼ等しく形成され、各電極がタッチスイッチの入力装置の同じ箇所の至近距離で形成されていれば、各電極の浮遊容量（１ｃａｐ、３ｃａｐ）もほぼ等しくなる。よって給電点（５ａａ、５ｂｂ）で観測される各印加電圧波形は、各インピーダンス素子（５ａ、５ｂ）と検出用電極１と基準用電極３の各電極で構成された浮遊容量（１ｃａｐ、３ｃａｐ）との積分波形であり、各印加電圧の波形は概ね等しくなる。
【００２２】
次に、図２に於いて検出用電極１への印加電圧を整流する第１の整流部６と、基準用電極３への印加電圧を整流する第２の整流部７は各々同じ値の素子で構成され、整流素子（６ｃ、７ｃ）で各々半端整流を行い、抵抗素子（６ａ、７ａ）と容量性素子（６ｄ、７ｄ）で各々平滑を行っている。この結果、第１の整流部６の出力６ｇと第２の整流部７の出力７ｇで各出力電圧がほぼ等しくなり、その結果、比較部９の判定結果１０の電気的レベルを一律に固定することが困難となるため、予め第２の整流部７の出力７ｇ側のみ電位差部８の抵抗素子８ａを、出力７ｇとＧＮＧ間に設けることにより、非操作時には常に基準用電極３側の出力７ｇの電位が検出用電極１側より低くなるように設定している。
【００２３】
図３は、比較部９の動作を示す図である。タッチスイッチの入力装置の非操作時において、比較素子９ａの（+）側入力は（−）側入力より低い電圧が供給され、比較素子９ａの出力には低レベル信号（以下、Ｌ信号と記す）が判定結果として出力され、この結果タッチスイッチの入力装置に対し操作者の操作が行われてない非操作時の判定結果出力１０はＬ信号となる。
【００２４】
次に、タッチスイッチの入力装置へ操作者の操作が行われた操作時の動作の概要について述べる。
【００２５】
はじめに、図２の回路図において（１１ａ、１１ｂ）はタッチスイッチの入力装置に対する操作者の指先１１の浮遊容量を示し、検出用電極１に付加される操作者の指先１１の浮遊容量が１１ａ、基準用電極３に付加される操作者の指先１１の浮遊容量が１１ｂとし、この静電容量については次式で表される。
【数１】
2013235313.tif 000003
【００２６】
数式（数１）より、静電容量は誘電率と電極面積が一定であれば電極の間隔ｄに反比例することが理解できる。これにより、図６で示す通り、操作者の指１１がタッチスイッチの入力装置に接近した場合の各距離は、検出用電極１のＧＮＤ、１ｇｎｄから操作者の指１１を中継し給電点5ａａにいたる距離は（１ｄａ+１ｄｂ）であるのに対し、基準用電極３のＧＮＤ、３ｇｎｄから操作者の指１１を中継し給電点5ｂｂにいたる距離は（３ｄａ+３ｄｂ）であることから、操作者の指１１がタッチスイッチの入力装置に接近した場合の静電容量は、見かけ上の電極間隔が短い検出用電極１に付加される操作者の指先の浮遊容量１１ａが多く、見かけ上の電極間隔の長い基準用電極３に付加される操作者の指先の浮遊容量１１ｂが少ないことが分かる。
【００２７】
以上により、本発明のタッチスイッチの入力装置に操作者の指１１が接近した場合、検出用電極１の容量１ｃａｐに、図２の操作者の指の浮遊容量１１ａが付加され、基準用電極３の容量３ｃａｐには、図２の操作者の指の浮遊容量１１ｂが付加される。この時、検出用電極１側に付加される操作者の指の浮遊容量１１ａが基準用電極３に付加される操作者の指の浮遊容量１１ｂより大きいため、高周波電圧を各電極に給電する各インピーダンス素子（５ａ、５ｂ）の電流値は共に増加するが、基準用電極３側の高周波電流増加分より検出用電極１側に流れる高周波電流増加分の方が多くなり、インピーダンス素子５ａによって給電される給電点５ａａの高周波電圧の印加電圧は、インピーダンス素子５ｂによって給電される給電点５ｂｂの高周波電圧の印加電圧より低くなる。
【００２８】
この結果、第１の整流部６の出力電圧は第２の整流部７の出力電圧より低くなり、図３に示すとおり、操作者の操作により、比較素子９ａの入力端子電圧は、＋側入力端子と−側入力端子で反転し、比較素子９ａの出力には高レベル信号（以下、Ｈ信号と記す）が判定結果として出力され、操作者の操作が行われたとする判定結果出力１０はＨ信号となる。
【００２９】
図４は本発明の実施において、導電性材料により形成された検出用電極１と、非導電性の基材２と、導電性の材料により形成された基準電極３を積み重ねた例を示す図である。
【００３０】
図４は本発明の電極の構成を示した図である。操作者が入力操作入行う検出用電極１があり、その下に非導電性の基材２がある。非導電性の基材２の裏面に基準用電極３が積み重ねて形成され、各辺の頂点（３ａ、３ｂ、３ｃ、３ｄ）は検出用電極１と基準用電極３との位置を合わせ積み重ねられていることを示している。なお、図中（ＧＮＤ）は回路におけるＧＮＤ（接地）電極、６ｂは第１の整流部６への出力端子、７ｂは第２の整流部７のへ出力端子、５は高周波電圧の発振回路からの入力端子である。また、電極の形態について、くし型電極を用いて説明を行ったが、電極形状はこの形態に限るものではない。
【００３１】
図５は、本発明を実施する際の各電極と、高周波電圧印加のインピーダンス素子及び整流回路への出力素子との接続例を示す図である。特に本発明の非導電性の基材２にプリント基板を用いた場合、検出用電極１の面と基準用電極３の面の電気的接続を図示するものであり、図中、検出用電極１の面の（３ｅ、３ｇ、３ｆ）と基準用電極３の面の（３ｅ、３ｇ、３ｆ）は重なり形成され、スルホール等で電気的に接続されていることを示している。
【００３２】
図７は、請求項２に記載の、本発明のブロック図を示した説明図である。タッチスイッチの入力信号処理に於いてマイクロコンピュータ１４を用いる例は多くある。その場合、検出用電極１と基準用電極３への印加電圧測定を、マイクロコンピュータにより制御されるゲート１２で交互に切り替えることで、整流部は第３の整流部１３のみで処理し、検出用電極１と基準用電極３の印加電圧の比較もマイクロコンピュータで行うことにより部品点数の削減と、信頼性の向上を図ることが可能である。
【００３３】
図８は、請求項３に記載の、本発明のブロック図を示した説明図である。タッチスイッチの入力装置を用いた機器は同一筐体に於いて一つ以上のタッチスイッチを有し、入力信号処理に於いてマイクロコンピュータ１４を用いる例は多くある。その場合、検出用電極１ｎ＝１から検出用電極１ｎと、基準用電極３ｎ＝１から基準用電極３ｎへの印加電圧測定を、マイクロコンピュータにより制御されるゲート１２ｎで切り替えることで、整流部は第ｎ＝１の整流部１３ｎ＝１から第ｎの整流部１３ｎで処理し、検出用電極１ｎ＝１から検出用電極１ｎと、基準用電極３ｎ＝１から基準用電極３ｎへの印加電圧の比較もマイクロコンピュータで行うことにより部品点数の削減と、信頼性の向上を図ることが可能である。
【００３４】
図９は、請求項4に記載の検出用電極１と基準用電極３の電極形状について示した図である。一例としてプリント基板の両面に検出用電極１と基準用電極３を各々配置し、インピーダンス素子（５ａ、５ｂ）及び印加電圧を整流部へ出力する出力素子（６ａ、７ａ）を基準用電極３の面に実装した例について述べる。
【００３５】
本発明によれば、検出用電極１と基準用電極３の電極形状が合同であれば、数式（数１）より、操作者の指１１と検出用電極１、および基準用電極３との静電容量は各電極と操作者の指１１の間隔に反比例することが理解でき、操作者の指１１の検出用電極１と基準用電極３への接近を高感度で検出できる。更に、検出用電極１への給電点５ａａと基準用電極３への給電点５ｂｂを互いに隣接させ、検出用電極１と基準用電極３の電極形状の相違を抑えことにより、操作者の指１１がタッチスイッチの垂直方向のみならず、上下左右のあらゆる方向から接近したと仮定しても、インピーダンス素子５ａの給電点５ａａ、および第１の整流部６への出力素子６ａと、インピーダンス素子５ｂの給電点５ｂｂ、および第２の整流部７への出力素子７ａの各接続箇所と、操作者の指１１の距離を概ね等しくできるので、各電極に印加する高周波の周波数を高めても分布定数回路としてバランスを保つことが可能であり、安定したタッチスイッチの操作検出が可能である。
【００３６】
また、図９に於いて、検出用電極１の５ａａと基準用電極３の５ｂｂへ給電を行うインピーダンス素子（５ａ、５ｂ）と、第１の整流部６への出力素子６ａと、第２の整流部７への出力素子７ａをそれぞれ接続する導体と各素子の電極側端子は、図９の切断線ａ−ａの範囲内にあり、電極以外の浮遊容量を抑えたことを特徴としている。また、第１の整流部６への出力素子６ａと、第２の整流部７への出力素子７ａは抵抗素子であり、検出用電極１と基準用電極３の浮遊容量と、第１の整流部６と、第２の整流部７への配線に伴う浮遊容量の影響を受けない様、分離している。
【実施例】
【００３７】
（実施例１）
以下、図１、図２、図３を参照して本発明の実施例１を説明する。
【００３８】
例えば本発明を用いてモメンタリ動作（タッチスイッチを操作している間だけ動作状態を維持）のタッチスイッチの入力装置を構成するのであれば、図１のブロック図の構成で達成可能である。回路図は図２の通りであり、高周波発生部４のインバーターにはＣＭＯＳ  ＩＣ、７４ＨＣ０４が使用でき、発振周期Ｔは（数２）で求めることができる。例えば、発振周波数を１３０ＫＨｚとし、両面プリント基板で厚さ１．６ｍｍ、基板材質がＣＥＭ３、図４の各電極の大きさは約１０×１５ｍｍ、櫛形電極のピッチ０．２５４ｍｍを形成し、インピーダンス素子（５ａ、５ｂ）を適宜加減し、検出用電極１と基準用電極３に各々４Ｖｐ−ｐの程度の高周波電圧を印加すれば、第１の整流部６と第２の整流部７は同じ回路構成とし、整流素子（６ｃ、７ｃ）は小信号のスイッチングダイオードであり、各電極へ印加された高周波電圧を半端整流する、抵抗（６ａ、７ａ）と容量性素子（６ｅ、７ｅ）は平滑回路であり、高周波電圧の周波数１３０ＫＨｚ以下を通過させるロウパスフィルターであればよい。抵抗（６ａ、７ａ）を整流素子（６ｃ、７ｃ）より電極側に配置したのは、各電極の容量と整流部の浮遊容量を分離する目的である。また抵抗（６ｄ、７ｄ）は平滑回路の放電用抵抗である。
【数２】
2013235313.tif 000004
【００３９】
なお、図２の第１の整流部６と第２の整流部７共に、二段目の平滑回路（６ｆ、６ｈ、７ｆ、７ｈ）を記載しているが、ノイズの影響が無ければ削除しても問題ない。
【００４０】
以上により、本発明のタッチスイッチの入力装置を操作者が操作を行わない非操作時に於いて、図２の第１の整流部６の出力６ｇ、および第２の整流部７の出力７ｇには３．１Ｖ程度の直流電位が出力されるが、比較部９において、この電位をこのまま判定を行うと、非操作時であっても若干の回路定数のバラつき等で出力６ｇ、出力７ｇの電位の大小が一定せず、非操作時の判定結果１０は、Ｌ信号かＨ信号に固定されない問題が生じる。そのため、電位差部８で電位差を付加する為の抵抗素子８ａを設け、図３に表すとおり、非操作時の第２の整流部７の出力７ｇを第１の整流部６の出力６ｇより０．１Ｖ程度低くし、電位差比較素子９ａの（+）端子を（−）端子より低い電位とすることにより、非操作時の判定結果出力１０にＬ信号を出力している。
【００４１】
次に、本発明のタッチスイッチの入力装置を操作者が操作を行う操作時に於いて、操作者の指１１が接近した場合、検出用電極１の容量１ｃａｐに、図２の操作者の指の浮遊容量１１ａが付加され、基準用電極３の容量３ｃａｐには、図２の操作者の指の浮遊容量１１ｂが付加される。この時、検出用電極１側に付加される操作者の指の浮遊容量１１ａが基準用電極３に付加される操作者の指の浮遊容量１１ｂより大きいため、高周波電圧を各電極に給電する各インピーダンス素子（５ａ、５ｂ）の電流値は共に増加するが、基準用電極３側の高周波電流増加分より検出用電極１側に流れる高周波電流増加分の方が多くなり、インピーダンス素子５ａによって給電される給電点５ａａの高周波電圧の印加電圧は、インピーダンス素子５ｂによって給電される給電点５ｂｂの高周波電圧の印加電圧より低くなる。
【００４２】
具体的には、操作時の第１の整流部６の出力６ｇの電位は０．２Ｖ程度低下し約２．９Ｖとなる。一方、第２の整流部７の出力７ｇの電位の低下は０．０５Ｖ程度であり、約２．９５Ｖとなる。このため、図３に示すとおり、操作時の比較素子９ａの（+）端子と（−）端子の電位は非操作時の電位と逆転することにより、判定結果出力１０にＨ信号を出力する。
【００４３】
以上により、本発明のタッチスイッチの入力装置において、操作者が操作を行わない非操作時の判定結果出力１０は、Ｌ信号であり、操作者が操作を行ったときの判定結果出力１０は、Ｈ信号となる。及び操作者が本発明の入力装置から指１１を遠ざけると、すぐさま判定結果出力１０はＬ信号に戻ることにより、モメンタリ動作のタッチスイッチとして機能が達成される。
【００４４】
本発明の実施例１において、高周波発生部１の高周波電圧波形は矩形波である必要は無く、三角波、のこぎり波等であってもよく、高調波の発生を伴わない基本波だけの正弦波が理想である。高周波発生部４の回路形態は図2に示したインバータに限定する必要は無く、汎用タイマーＩＣ、ＯＰアンプを用いた発振回路などあらゆる回路形態であってよい。また、連続的に高周波を発生する必要も無いため、消費電力を抑えるため間欠的に高周波電圧を出力してもよい。
【００４５】
本発明のタッチスイッチの入力装置は、従来のタッチスイッチの一つの方式にある商用電源の変圧器が接地され、変圧器が接地された大地と、操作する機器の露出した電極と、操作者の人体間を微弱電流が流れることによりタッチスイッチの操作を受け付ける装置と異なり、装置の電源の接地が行われてない電池使用の機器でもタッチスイッチでの入力機能が有効である。よって、タッチスイッチの電極部表面が絶縁体あっても問題は無く、印刷の施された樹脂、ガラス等が検出用電極１の前面に設けられた機器にも設置可能なタッチスイッチの入力装置である。また、例えば多層基板の内層に検出用電極１を配置し、プリント基板の操作面側には電極が一切露出しない構造も可能であることから、人体から機器への静電気の耐性とデザイン性の向上、及びコストダウンを図る事が可能である。
【００４６】
本発明の実施にあたり、電位差部８で電位差を付加する為の抵抗素子８ａを設け、非操作時の比較部９の電位差比較素子９ａの（+）端子を（−）端子より低い電位に設定することにより、非操作時の判定結果出力１０にＬ信号を出力しているが、異なる方法としてインピーダンス素子（５ａ、５ｂ）の定数設定、あるいは第１の整流部６、および第２の整流部７の抵抗素子（６ａ、７ａ、６ｄ、７ｄ）の定数設定などにより、別途に電位差部８で電位差を付加する為の抵抗素子８ａを設けることなく、比較部９の電位差比較素子９ａの（+）端子を（−）端子より低い電位に設定することも可能である。
【００４７】
（実施例２）
先述のモメンタリ動作のタッチスイッチに於いて、判定結果出力１０にラッチ機能を付加すればオルタネイト動作（タッチ操作毎にＬ信号とＨ信号出力を繰り返し、指をタッチスイッチから離しても、Ｌ信号、あるいはＨ信号状態を保持）のスイッチを構成可能である。例えば判定結果出力１０にＣＭＯＳ  ＩＣ  ７４ＨＣ７４（Ｄ−ＴＹＰＥ  ＦＬＩＰ  ＦＬＯＰ）を接続することでオルタネイト動作のタッチスイッチが達成可能である。
【００４８】
（実施例３）
更に、本発明のタッチスイッチの入力装置を複数並べ、マイクロコンピューターを用いて制御を行えば、ラジオスイッチ（ラジオボタン）と言われる、複数のスイッチの一つだけが常に選択されるスイッチも構成可能である。
【産業上の利用可能性】
【００４９】
以上のように、本発明にかかるタッチスイッチの入力装置によれば、機器へのタッチスイッチの設置箇所、あるいは温度、湿度、電磁ノイズなどの周囲の使用条件、また経時変化等の不安定要因に対し安定した入力操作を行うことが可能な入力装置を提供することができる。
【符号の説明】
【００５０】
１           検出用電極
１ｃａｐ     検出用電極の浮遊容量
１ｎ＝１    ｎ＝１番目の検出用電極
１ｎ         ｎ番目の検出用電極
２           非導電性の基材
２ｎ＝１    ｎ＝１番目の非導電性の基材
２ｎ         ｎ番目の非導電性の基材
３           基準用電極
３a         基準用電極と検出用電極の重なり位置３ａを示す
３ｂ         基準用電極と検出用電極の重なり位置３ｂを示す
３ｃ         基準用電極と検出用電極の重なり位置３ｃを示す
３ｄ         基準用電極と検出用電極の重なり位置３ｄを示す
３ｅ         基準用電極と検出用電極のスルホール位置３ｅを示す
３ｆ          基準用電極と検出用電極のスルホール位置３ｆを示す
３ｇ         基準用電極と検出用電極のスルホール位置３ｇを示す
３ｃａｐ     基準用電極の浮遊容量
３ｎ＝１    ｎ＝１番目の基準用電極
３ｎ         ｎ番目の基準用電極
４           高周波発生部
５          インピーダンス素子の入力
５ａ         検出用電極インピーダンス素子
５ａａ       検出用電極への給電点
５ａｎ＝１  ｎ＝１番目の検出用電極インピーダンス素子
５ａｎ        ｎ番目の検出用電極インピーダンス素子
５ｂ         基準用電極インピーダンス素子
５ｂｎ＝１  ｎ＝１番目の基準用電極インピーダンス素子
５ｂｎ        ｎ番目の基準用電極インピーダンス素子
５ｂｂ        基準用電極への給電点
６            第１の整流部
６ａ          検出用電極の出力素子
６ｂ          第１の整流部６への出力端子
６ｃ          第１の整流部の整流素子
６ｄ          第１の整流部の放電抵抗
６ｅ          第１の整流部の平滑用容量素子
６ｆ           第２の整流部の二段目の平滑用抵抗素子
６ｇ          第１の整流部の電圧出力点
６ｈ          第１の整流部の二段目の平滑用容量素子
７            第２の整流部
７ａ          基準用電極の出力素子
７ｂ          第２の整流部７への出力端子
７ｃ          第２の整流部の整流素子
７ｄ          第２の整流部の放電抵抗
７ｅ          第２の整流部の平滑用容量素子
７ｆ           第２の整流部の二段目の平滑用抵抗素子
７ｇ          第２の整流部の出力点
７ｈ          第２の整流部の二段目の平滑用容量素子
８            電位差部
８ａ          電位差を付加する為の抵抗素子
９            比較部
９ａ          電位差比較素子
１０            判定結果出力
１１            操作者の指
１１ａ          検出用電極側での操作者の指の浮遊容量
１１ｂ          基準用電極側での操作者の指の浮遊容量
１２            ゲート回路
１２ｎ           ｎ個の切り替え機能を有するゲート回路
１３            第３の整流部
１３ｎ＝１    第１３ｎ＝１の整流部
１３ｎ          第１３ｎの整流部
１４            マイクロコンピュータ
【図１】
2013235313.tif 000005
【図２】
2013235313.tif 000006
【図３】
2013235313.tif 000007
【図４】
2013235313.tif 000008
【図５】
2013235313.tif 000009
【図６】
2013235313.tif 000010
【図７】
2013235313.tif 000011
【図８】
2013235313.tif 000012
【図９】
2013235313.tif 000013